(57)【特許請求の範囲】
【請求項１】
秘匿情報を記入するための秘匿情報記入領域が設けられた矩形状の本体紙片と、折り込み可能な折込線を介して本体紙片に連成された、該折込線で折り返すことにより本体紙片の秘匿情報記入領域を被覆する矩形状の隠蔽紙片とを備えてなるものであって、
前記折込線と対向する本体紙片の側辺に折り線を介して連成されて、折込線で折り返された隠蔽紙片の外面に接着される閉鎖紙片と、
隠蔽紙片の内面に、折込線と対向しない該隠蔽紙片の上下辺に沿って夫々形成された、所定層厚みの内部接着領域と該内部接着領域から外方へ延出した端ダレ領域とからなる帯状の接着層部と、
本体紙片の、隠蔽紙片の各接着層部と重なり合う部位に、ハーフカット状の切り込み線により囲繞されて形成された、各接着層部の端ダレ領域を該切り込み線外にはみだして接着して内部接着領域と接着する剥脱部と
を備えてなるものであることを特徴とする情報隠蔽帳票。
【請求項２】
秘匿情報を記入するための秘匿情報記入領域が設けられた矩形状の本体紙片と、折り込み可能な折込線を介して本体紙片に連成された、該折込線で折り返すことにより本体紙片の秘匿情報記入領域を被覆する矩形状の隠蔽紙片とを備えてなるものであって、
隠蔽紙片の、秘匿情報記入領域を被覆する内面に、折込線を除く該隠蔽紙片の三辺に沿って夫々形成された、所定層厚みの内部接着領域と該内部接着領域から外方へ延出した端ダレ領域とからなる帯状の接着層部と、
本体紙片の、隠蔽紙片の各接着層部と重なり合う部位に、ハーフカット状の切り込み線により囲繞されて形成された、各接着層部の端ダレ領域を該切り込み線外にはみだして接着して内部接着領域と接着する剥脱部と
を備えてなるものであることを特徴とする情報隠蔽帳票。
【請求項３】
本体紙片に形成された剥脱部に、その幅方向に横断するハーフカット状の切り込み横断線が一又は複数形成されていることを特徴とする請求項１又は請求項２に記載の情報隠蔽帳票。
【請求項４】
隠蔽紙片は、その上下辺の少なくとも一方と折込線とが連なる角端に、開封用の剥がし口部を備えると共に、該剥がし口部が設けられた上下辺に沿って形成された接着層部を、前記剥がし口部から所定間隔をおいて形成してなるものであることを特徴とする請求項１乃至請求項３のいずれか１項に記載の情報隠蔽帳票。
【発明の詳細な説明】
【技術分野】
【０００１】
本発明は、秘匿情報を隠蔽すると共に、取り扱い性に優れた情報隠蔽帳票に関する。
【背景技術】
【０００２】
情報隠蔽帳票としては、例えば、秘匿情報を記入する基材に、該秘匿情報の記入領域を被覆するように所定のシート材などを剥離可能に接着する構成のものが知られており、このような情報隠蔽帳票として、隠蔽葉書が使用されている。
【０００３】
上記した隠蔽葉書としては、例えば特許文献１のように、葉書用紙としての本体基材と、隠蔽用紙としての隠蔽基材とが折り線を介して連成されており、該本体基材には秘匿情報を記入する領域が設けられ、隠蔽基材には本体基材を被覆する面に再剥離可能な粘着剤が塗布されている。かかる隠蔽葉書は、本体基材に秘匿情報を記入した後、隠蔽基材を折り返して本体基材に貼り付ける。これにより、本体基材に記入した秘匿情報を隠蔽することができ、また、当該隠蔽葉書の郵送後に、受取人が隠蔽基材を剥離することにより、秘匿情報を知得することができるようになっている。
【０００４】
ところで、上記した特許文献１の構成にあっては、郵送後の取扱性を重視して、隠蔽基材と本体基材とを再剥離可能な粘着剤により貼り付けるようにしており、隠蔽基材を剥離することによって比較的容易に秘匿情報を知得することができる。このように隠蔽基材と本体基材とを容易に剥離して、さらに再び接着することができることから、秘匿情報の秘密保持性に限界がある。特に、秘匿情報が、クレジットカードなどの情報であった場合、当該情報を容易に悪用されてしまうことが懸念される。
【０００５】
このような問題点に対して、例えば特許文献２のように、本体基材と隠蔽基材とが折り線を介して連成されてなり、隠蔽基材に、折り線と対向する一辺に沿って剥離不能な強接着剤部が設けられ、且つ該強接着剤部を含む区画領域をハーフカット線により区画している構成が提案されている。かかる構成の隠蔽葉書にあっては、隠蔽基材を折り線で折り返してその強接着剤部を本体基材に接着することにより、該本体基材に記入した秘匿情報を隠蔽することができる。そして、郵送後に隠蔽基材を本体基材から剥がす際には、その両者が強接着剤部により接着しているため、隠蔽基材のハーフカット線により区画された区画領域で用紙がその厚み方向に引き裂くように剥がれて（以下、紙間剥離という）、該区画領域が隠蔽基材からむしり取られる。これにより、隠蔽基材を本体基材から引き剥がすことができ、秘匿情報を知得できる。
【０００６】
この特許文献２の構成にあっては、隠蔽基材と本体基材とを強接着剤部により接着していることから、秘匿情報を保護する効果に優れ、且つ隠蔽基材をむしり取ることにより秘匿情報を容易に知得することができ得る。さらに、隠蔽基材を前記のようにむしり取らねば開封できず、かつ一旦剥離した後に再び接着できないことから、開封された証拠として残すことができる。このように、特許文献２の構成は、上記した特許文献１の構成に比して、高い秘密保持性を有するものである。
【特許文献１】特許第２９３７７３２号公報
【特許文献２】特開２００５−３０５９５６号公報
【発明の開示】
【発明が解決しようとする課題】
【０００７】
上記した特許文献２の構成にあっては、強接着剤部の外側にハーフカット線が形成されており、該ハーフカット線により区画された区画領域によって、隠蔽基材を本体基材から引き剥がす際にむしり取られる範囲を制限している。これにより、むしり取られる範囲が、区画領域の外側まで拡がらないようにしている。ところが、かかる構成の隠蔽葉書にあって、その隠蔽基材と本体基材とを引き剥がす際に、うまく区画領域で引き剥がすことができず、該区画領域を設けていない本体基材で紙間剥離を生じ、該本体基材が破れてしまうことも生じ得る。この場合には、本体基材が破れ、秘匿情報の記入領域が損傷してしまう恐れがある。同様に、本体基材側に区画領域を設けた構成にあっては、該区画領域を設けていない隠蔽基材が破れてしまうことも生じ得る。
【０００８】
ここで、隠蔽葉書は、銀行口座の情報やクレジットカードの情報などの個人情報を連絡するために用いられることが一般的である。そして、このような秘匿情報は、受取人がその内容を誤認して用いることがないように、所定の読込装置などを用いて読み込み処理される。ところが、上記のように秘匿情報の記入領域が損傷していると、読込装置による読み込み処理でエラーを生じる。また、上記のように隠蔽紙片が破れた場合にあっても、その断片が比較的多いと、本体基材の秘匿情報の記入領域を部分的に被覆してしまうために、読込装置がエラーを生じる。そのため、いずれの場合にあっても、損傷した箇所を修復したり、秘匿情報を読む作業は、作業者が実施することとなる。このように隠蔽基材や本体基材のいずれかが損傷すれば、秘匿情報を読み込んで記録する作業が手作業で実施されるため、秘匿情報を読み込むために要する作業が繁雑化したり、該秘匿情報の読み込みミスを生じ易いという問題がある。
【０００９】
本発明は、秘匿情報の秘密保持性に優れ、且つ秘匿情報を隠蔽する基材を適正に取り除くことができるという、取扱性に優れた情報隠蔽帳票を提案するものである。
【課題を解決するための手段】
【００１０】
本発明の第一発明にあっては、秘匿情報を記入するための秘匿情報記入領域が設けられた矩形状の本体紙片と、折り込み可能な折込線を介して本体紙片に連成された、該折込線で折り返すことにより本体紙片の秘匿情報記入領域を被覆する矩形状の隠蔽紙片とを備えてなるものであって、前記折込線と対向する本体紙片の側辺に折り線を介して連成されて、折込線で折り返された隠蔽紙片の外面に接着される閉鎖紙片と、隠蔽紙片の内面に、折込線と対向しない該隠蔽紙片の上下辺に沿って夫々形成された、所定層厚みの内部接着領域と該内部接着領域から外方へ延出した端ダレ領域とを有する帯状の接着層部と、本体紙片の、隠蔽紙片の各接着層部と重なり合う部位に、ハーフカット状の切り込み線により囲繞されて形成された、各接着層部の端ダレ領域を該切り込み線外にはみだして接着して内部接着領域と接着する剥脱部とを備えてなるものであることを特徴とする情報隠蔽帳票である。
【００１１】
かかる構成にあっては、隠蔽紙片を折込線で折り返し、隠蔽紙片の接着層部を本体紙片に接着し、さらに閉鎖紙片を折り返して接着することにより、本体紙片の秘匿情報記入領域を被覆して保護する。これにより、秘匿情報記入領域に記入された秘匿情報を隠蔽することができる。そして、秘匿情報記入領域を開示するためには、隠蔽紙片と本体紙片とを、閉鎖紙片で接着された側辺の左右に開くように、引き剥がす。ここで、引き剥がす際には、隠蔽紙片の接着層部が接着している剥脱部が、紙間剥離を生じて本体紙片からむしり取られていく。これにより、隠蔽紙片と本体紙片とを引き剥がすことができる。そして、隠蔽紙片を、その上下辺に設けられた接着層部が本体紙片から剥脱部を接着したまま引き剥がし、閉鎖紙片を介してのみ本体紙片と繋がっている状態とし、該本体紙片の秘匿情報記入領域を開示する。
【００１２】
ここで、本発明にあっては、ハーフカット状の切り込み線で囲繞した剥脱部で引き剥がすことができ、隠蔽紙片が破れたりするような不具合を生じず、上述した従来の特許文献２にかかる構成の問題点が解決されている。これは、本発明の構成では、剥脱部を接着層部の内部接着領域と接着するように設けたことによる作用効果であり、本発明の発明者らの鋭意研鑽によって達し得たものである。
例えば葉書や封筒などの情報隠蔽帳票にあっては、その製造工程で、印刷によって所定の接着剤を塗布するようにしていることが一般的である。本発明の構成にあっても、その接着層部を印刷により形成することが好適である。このように印刷によって設けられた接着層部を、詳細に観察すると、その外周端が盛り下がって層厚みが減少した端ダレを生じている。この端ダレとなっている端ダレ領域では、その内側となる所定層厚みの内部接着領域に比して薄肉となっていることから、所望の接着力を発揮する内部接着領域よりも接着力が弱くなってしまう。そのため、この端ダレ領域の接着力が、紙間剥離するために要する力より小さくなり、接着後にも比較的容易に剥がれやすくなることを明らかとした。このような知見に基づいて、本体紙片の接着層部は、接着力の弱い端ダレ領域を、ハーフカット状の切り込み線からはみだして接着するようにし、端ダレ領域の内側となる内部接着領域を、切り込み線で囲繞した剥脱部に接着するようにしている。そして、引き剥がす際には、接着層部の端ダレ領域が比較的容易に剥がれ、内部接着領域が剥脱部の紙間剥離を生じさせて、該剥脱部をむしり取る。これは、内部接着領域が、剥脱部で切り込み線の直近まで接着していることから、該切り込み線内で紙間剥離を生じ易くなるためである。これにより、本発明の構成では、確実に剥脱部で紙間剥離を生じることができ、切り込み線を設けていない隠蔽紙片が破れてしまうことなどの不具合を生じない。
【００１３】
尚、特許文献２の構成と同様に、仮に、接着層部の接着する領域をその外側で囲繞するように、ハーフカット状の切り込み線を設けた構成とした場合には、接着層部の内部接着領域が接着した領域と前記切り込み線との間に比較的広い間隔がある。そして、隠蔽紙片と本体紙片とを引き剥がす際には、これら両者の、接着層部の内部接着領域により接着している各領域に、両者を引き剥がそうとする力がほぼ同様に作用する。そのため、前記した引き剥がす力により隠蔽紙片で紙間剥離を生じてしまう場合もあり、この場合には、隠蔽紙片が破れてしまうという不具合を生じる。
【００１４】
上述したように、本発明の構成にあっては、隠蔽紙片と本体紙片とを接着した後にこれら両者を引き剥がす際には、接着層部の内部接着領域と本体紙片の剥脱部とが接着していることから、該剥脱部が紙間剥離を生じてむしり取られる。そして、接着層部の端ダレ領域が剥脱部からはみだして接着していても、該端ダレ領域の接着力が弱いために比較的容易に剥離される。そのため、紙間剥離を生じる範囲を剥脱部のみに制限することができ、本体紙片の秘匿情報記入領域が破れたり、隠蔽紙片が損傷したりすることを確実に防ぐことができ得る。そして、隠蔽紙片と本体紙片とを剥離した後の形態が安定する。このように、秘匿情報記入領域が損傷することなく適正に開示された形態となるため、上述したように、所定の読込装置を用いて秘匿情報を読み込むようにしている場合にあって、該読込装置によって安定して正確に読み取ることができる。すなわち、上述した従来構成のように、秘匿情報記入領域の損傷を修正したり、作業者が直接読み取るなどの作業を要するという問題を生じない。
【００１５】
また、本発明の構成にあっては、隠蔽紙片の接着層部を本体紙片に接着し、さらに閉鎖紙片を折り返して接着してしまうと、上記したように、開封用折込線で切断して隠蔽紙片を引き剥がさない限り、秘匿情報記入欄を開けることができない。そして、隠蔽紙片を本体紙片に接着した後に、一旦隠蔽紙片を引き剥がすと、再接着することができないことから、開封確認を確実に得ることができる。このように、本発明にあっては、秘匿情報を保護する秘密保持性が極めて高いものである。
【００１６】
また、本構成にあって、折込線は、隠蔽紙片を折り返して本体紙片に接着した状態で、比較的容易に切断できるようにしたものとすることができる。この折込線としては、いわゆるミシン目状の構成や、略ヘ字形等の切り込み部を断続的に設けてなる所謂プルトップ構成などが好適に用い得る。特に、後者のプルトップ構成は、切断作業が容易であり、本発明の主旨に最も適する。尚、プルトップ構成とする場合には、隠蔽紙片側へ切り込まれるようにする。
【００１７】
一方、本発明の第二発明にあっては、秘匿情報を記入するための秘匿情報記入領域が設けられた矩形状の本体紙片と、折り込み可能な折込線を介して本体紙片に連成された、該折込線で折り返すことにより本体紙片の秘匿情報記入領域を被覆する矩形状の隠蔽紙片とを備えてなるものであって、隠蔽紙片の、秘匿情報記入領域を被覆する内面に、折込線を除く該隠蔽紙片の三辺に沿って夫々形成された、所定層厚みの内部接着領域と該内部接着領域から外方へ延出した端ダレ領域とからなる帯状の接着層部と、本体紙片の、隠蔽紙片の各接着層部と重なり合う部位に、ハーフカット状の切り込み線により囲繞されて形成された、各接着層部の端ダレ領域を該切り込み線外にはみだして接着して内部接着領域と接着する剥脱部とを備えてなるものであることを特徴とする情報隠蔽帳票である。
【００１８】
かかる構成にあっては、隠蔽紙片を折込線で折り返し、該隠蔽紙片の三辺（上下辺、側辺）に沿って形成された各接着層部を本体紙片に接着することにより、本体紙片の秘匿情報記入領域を被覆して保護する。これにより、秘匿情報記入領域に記入された秘匿情報を隠蔽することができる。そして、秘匿情報記入領域を開示するためには、隠蔽紙片と本体紙片とを、閉鎖紙片で接着された側辺の左右に開くように引き剥がして、両者を分離する。ここで、この引き剥がす際には、本構成にあっても、上述した第一発明の構成と同様に、剥脱部が接着層部の内部接着領域と接着するように設けられていることから、該剥脱部で紙間剥離を生じてむしり取ることにより、隠蔽紙片と本体紙片とを引き剥がすことができる。このように隠蔽紙片を本体紙片から引き剥がして分離することによって、該本体紙片の秘匿情報記入領域を開示する。
【００１９】
このように、本構成にあっても、隠蔽紙片と本体紙片とを引き剥がす際に、紙間剥離を生じる範囲を剥脱部のみに制限することができるため、本体紙片の秘匿情報記入領域が破れたり、隠蔽紙片が損傷したりすることを確実に防ぐことができる。そのため、剥離後の本体紙片の形態が安定し、秘匿情報記入領域を損傷することなく適正に開示できる。そして、所定の読込装置を用いる場合にあって、該読込装置によって秘匿情報を安定して正確に読み取ることができ得る。また、秘匿情報をみるためには、隠蔽紙片を引き剥がさなければならず、一旦引き剥がせば、隠蔽紙片を再接着することができないため、開封確認を得ることができる。このように、この第二発明の構成は、上述した第一発明と同様の作用効果を生じ得るものである。
【００２０】
上述した第一および第二発明の情報隠蔽帳票にあって、本体紙片に形成された剥脱部に、その幅方向に横断するハーフカット状の切り込み横断線が一又は複数形成されている構成が提案される。
【００２１】
かかる構成にあっては、剥脱部に切り込み横断線を設けたものであるから、隠蔽紙片の接着層部を本体紙片に接着した後に引き剥がす際に、剥脱部の端部で紙間剥離をうまく生じなかった場合にも、切り込み横断線から紙間剥離を生じさせることができ得る。そして、切り込み横断線は剥脱部を複数の領域に区画することから、該区画した領域毎に比較的容易に紙間剥離を生じさせることができ、総じて剥脱部を容易かつ安定してむしり取ることができ得る。これにより、隠蔽紙片と本体紙片とを剥離する際に、隠蔽紙片が破れてしまうなどの不具合の発生を防ぐ効果が一層向上する。
【００２２】
尚、本構成にあって、切り込み横断線が剥脱部の長手方向端部に少なくとも形成されている構成を、好適に用い得る。これは、通常、矩形状の隠蔽紙片を引き剥がしていく際には、その各辺に沿った方向に剥がす作業が行われる。そのため、長手方向の端部切り込み線を設けて分割しておくことにより、上記した剥脱部の剥離をうまく生じさせる作用効果が容易に発生し易くなる。
【００２３】
上述した第一および第二発明の情報隠蔽帳票にあって、隠蔽紙片は、その上下辺の少なくとも一方と開封用折込線とが連なる角端に、開封用の剥がし口部を備えると共に、該剥がし口部が設けられた上下辺に沿って形成された接着層部を、前記剥がし口部から所定間隔をおいて形成してなるものである構成が提案される。
【００２４】
かかる構成にあっては、剥がし口部を設け、且つ剥がし口部の周囲に接着層部を設けていないことから、該剥がし口部から折込線を比較的容易に切断することができる。そして、接着層部が剥がし口部から所定間隔をおいて形成されているため、該剥がし口部から一気に引き剥がす作業を実施することができ、剥脱部を比較的容易に剥離することができ得る。さらに、引き剥がす作業を一気に行うことにより、剥脱部を比較的正確に剥離させることもできる。このように、隠蔽紙片を本体紙片から引き剥がす作業にあって、その作業性を向上し、且つ作業時間を短縮することもでき得る。
【００２５】
尚、本構成にあって、接着層部が剥がし口部から所定間隔をおいて形成されることから、該接着層部に対向する本体紙片の剥脱部にあっても、同様に、剥がし口部から所定間隔をおいて形成されている構成となる。
【発明の効果】
【００２６】
本発明の第一発明は、上述したように、折込線を介して本体紙片と連成する隠蔽紙片に、その上下辺に沿って、所定層厚みの内部接着領域と該内部接着領域から外方へ延出した端ダレ領域とからなる帯状の接着層部を備えると共に、本体紙片に、ハーフカット状の切り込み線により囲繞された、各接着層部の端ダレ領域を該切り込み線外にはみだして接着して内部接着領域と接着する剥脱部を備えてなり、さらに、本体紙片の側辺に折り線を介して、本体紙片に重ね合わせた隠蔽紙片の外面に接着される閉鎖紙片を備えてなるものである。本構成は、隠蔽紙片と本体紙片とを接着することにより、秘匿情報記入領域に記入された秘匿情報を隠蔽して保護することができる。また、隠蔽紙片と本体紙片とを引き剥がすことにより、剥脱部外にはみだして接着した接着層部の端ダレ領域が比較的容易に剥離し、且つ内部接着領域が接着した剥脱部を、紙間剥離させてむしり取ることができるため、隠蔽紙片や本体紙片の秘匿情報記入領域を損傷することなく剥離して、該秘匿情報記入領域を開示することができる。また、隠蔽紙片を一旦引き剥がすと、再接着することができないことから、開封確認を得ることができる。したがって、本構成にあっては、秘匿情報を保護する効果が高く、かつ取扱性に優れるという作用効果を有する。
【００２７】
一方、本発明の第二発明は、上述したように、開封用折込線を介して本体紙片と連成する隠蔽紙片に、該開封用折込線を除く三辺に沿って、所定層厚みの内部接着領域と該内部接着領域端から外方へ延出したダレ領域とからなる帯状の接着層部を備えると共に、本体紙片に、ハーフカット状の切り込み線により囲繞された、各接着層部の端ダレ領域を該切り込み線外にはみだして接着して内部接着領域と接着する剥脱部を備えてなるものである。本構成にあっても、上述した第一発明と同様に、隠蔽紙片と本体紙片とを接着することにより、秘匿情報を保護することができると共に、隠蔽紙片と本体紙片とを引き剥がすことにより、剥脱部を紙間剥離させてむしり取ることができるため、隠蔽紙片や本体紙片の秘匿情報記入領域を損傷することなく剥離して、該秘匿情報記入領域を開示することができる。また、隠蔽紙片を一旦引き剥がすと、再接着することができないことから、開封確認を得ることができる。したがって、本構成にあっても、秘匿情報を保護する効果が高く、かつ取扱性に優れるという作用効果を有する。
【００２８】
また、本体紙片に形成された剥脱部に、その幅方向に横断するハーフカット状の切り込み横断線が一又は複数形成されている構成にあっては、隠蔽紙片と本体紙片とを引き剥がす際に、剥脱部の端部で紙間剥離をうまく生じなかった場合にも、切り込み横断線から紙間剥離を生じさせることができ、総じて、剥脱部を容易かつ安定してむしり取ることができる。そのため、隠蔽紙片や本体紙片の秘匿情報記入領域を損傷することを防ぐ効果が一層向上する。
【００２９】
また、隠蔽紙片が、その上下辺の少なくとも一方と開封用折込線とが連なる角端に、開封用の剥がし口部を備えると共に、該剥がし口部が設けられた上下辺に沿って形成された接着層部を、前記剥がし口部から所定間隔をおいて形成してなるものである構成にあっては、該剥がし口部から開封用折込線を比較的容易に切断できると共に、該剥がし口部から隠蔽紙片を一気に引き剥がす作業を実施できる。これにより、剥脱部で比較的容易に紙間剥離を生じさせることができ、隠蔽紙片を本体紙片から引き剥がす作業の作業性を向上し、且つ作業時間を短縮することができ得る。
【発明を実施するための最良の形態】
【００３０】
本発明の実施例を添付図面を用いて説明する。ここで、後述する実施例１，２は、いずれの場合も、本発明にかかる情報秘匿帳票として隠蔽葉書１，５１について例示している。
【実施例１】
【００３１】
図１は、隠蔽葉書１の、その隠蔽紙片３を本体紙片２に接着する前の状態を示す平面図である。隠蔽紙片３と本体紙片２とは、ほぼ同じ寸法形状の矩形状を成し、開封用折込線１１を介して連成されている。さらに、本体紙片２には、開封用折込線１１と対向する側辺に折り線１２を介して閉鎖紙片５が連成されている。
【００３２】
ここで、隠蔽紙片３の内面（図１の正面）には、その上下辺にそれぞれ沿うように、所定の接着剤を塗布してなる帯状の接着層部１３，１４が夫々設けられている。また、隠蔽紙片３の内面には、前記接着層部１３，１４の間の領域に、再剥離可能な接着剤を塗布してなる再剥離層部１５が設けられている。この再剥離層部１５の接着剤は、上記した本体紙片２に接着した後、容易に引き剥がすことができ、再び接着することができるものである。すなわち、再剥離層部１５は、接着と剥離とを繰り返すことが可能である。これに対して、接着層部１３，１４の接着剤は、一旦接着してしまうと引き剥がすことができない所定の接着力を有するものである。
【００３３】
上記した接着層部１３，１４は、隠蔽紙片３の内面に、所定の印刷工程によって設けられる。このように接着層部１３，１４を印刷によって形成する工程は、当該葉書の製造工程の自動化を進め、総じて製造工程に要する時間とコストとを低減でき得る。また、上記した再剥離層部１５および、後述する閉鎖紙片５の接着層部２６にあっても、同様の印刷工程によって設けるようにしている。尚、所定の接着剤を印刷によって所定部位に形成する方法は、葉書や封筒の製造方法として従来から用いられている方法と同様に実施しており、その詳細については省略する。
【００３４】
ここで、上記した印刷工程によって形成された接着層部１３，１４を詳細にみると、図４（Ａ）のように、その断面が中央部分で盛り上がる形状となっており、そして、その外周縁で急激に盛り下がる、いわゆる端ダレを生じている。すなわち、接着層部１３，１４は、端ダレを生じている端ダレ領域１３ｂ，１４ｂとその内側の内部接着領域１３ａ，１４ａとからなる。内部接着領域１３ａ，１４ａは、印刷工程にあって設定された所定の層厚みに形成されてなる領域であり、接着剤を充分に有しており、所望の接着力を発揮する。端ダレ領域１３ｂ，１４ｂは、内部接着領域１３ａ，１４ａに比して厚みが薄く、外方へ向かって急激に傾斜しており、該内部接着領域１３ａ，１４ａに比して接着力が弱くなっている。そのため、端ダレ領域１３ｂ，１４ｂは、接着後にも比較的容易に引き剥がすことが可能である。
【００３５】
尚、本実施例にあって、接着層部１３，１４は、その層厚みが１０〜３０μｍとするように設定している。この１０〜３０μｍの層厚みを有することによって、充分な接着力を発揮することができる。この層厚みとなっている領域が、内部接着領域１３ａ，１４ａである。そして、その端ダレ領域１３ｂ，１４ｂは、内部接着領域１３ａ，１４ａの外周端から外方へ延出され、急激に層厚みが減少しており、その層厚みが１０μｍに満たない領域である。このように端ダレ領域１３ｂ，１４ｂでは、層厚みが薄くなってしまうために、所望の接着力を発揮できない。尚、この端ダレ領域１３ｂ，１４ｂは、接着層部１３，１４の外周端からの幅が１ｍｍ未満の範囲に生じている。
【００３６】
また、隠蔽紙片３には、図１のように、その下辺と開封用折込線１１との交わる角端に、傾斜方向に切断してなる開封用の剥がし口部１６が設けられている。そして、下辺に沿った接着層部１４は、該剥がし口部１６から所定間隔をおいて形成されている。
【００３７】
また、隠蔽紙片３と本体紙片２とを連成する開封用折込線１１としては、略ヘ字形で貫通状に切り込まれた部位が断続的に列設されてなるプルトップ状の構成としている。ここで、略ヘ字形の切り込み部位は、上下方向から隠蔽紙片３側へ屈曲するように切り込まれるようにして設けられている。このようなプルトップ状の開封用折込線１１により、隠蔽紙片３と本体紙片２とを容易に切断することができ得る。また、容易に切断できることから、切断時に本体紙片２を損傷し難い。
【００３８】
一方、本体紙片２の、隠蔽紙片３の内面と連続する内面（図１の正面）には、該隠蔽紙片３を開封用折込線１１で折り返した場合に、隠蔽紙片３の接着層部１３，１４と夫々重なり合う部位に、ハーフカット状の切り込み線２３，２４により囲繞された剥脱部２１，２２が夫々形成されている。この剥脱部２１，２２には、隠蔽紙片３を重ね合わせた状態（図４参照）で、接着層部１３，１４の各端ダレ領域１３ｂ，１４ｂが、前記切り込み線２３，２４外にはみ出るようにして接着されると共に、内部接着領域１３ａ，１４ａが切り込み線２３，２４内に接着される。すなわち、剥脱部２１，２２は、各接着層部１３，１４の領域に比して、一回り小さい面積とした領域により形成されている。
【００３９】
さらに、各剥脱部２１，２２には、その幅方向に横断するハーフカット状の切り込み横断線２５が複数形成されている。ここで、切り込み横断線２５は、各剥脱部２１，２２の長手方向の両端部に夫々設けており、該両端部では、切り込み線２３，２４と切り込み横断線２５とによる二重線を形成している。また、各剥脱部２１，２２には、その両端部以外にも切り込み横断線２５が設けられており、複数の切り込み横断線２５により複数領域に分割されている。
【００４０】
尚ここで、ハーフカット状の切り込み線２３，２４および切り込み横断線２５としては、本体紙片２を構成する用紙を、その厚み方向で貫通しない程度に切り込まれてなり、本実施例にあっては、用紙の厚みの約半分まで切り込まれるようにして形成されている（図４参照）。
【００４１】
この本体紙片２の内面には、上記した剥脱部２１，２２の間に、所定の秘匿情報を記入するための秘匿情報記入領域２８が設けられている。この秘匿情報記入領域２８は、隠蔽紙片３を開封用折込線１１で折り返して本体紙片２に重ねることにより、該隠蔽紙片３で被覆される。尚、本体紙片２の外面（図１における裏面）は、宛名が記載され、本実施例１の隠蔽葉書１の表紙となる。一方、隠蔽紙片３の外面（図１における裏面）は、当該隠蔽葉書１の裏表紙となる。
【００４２】
また、本体紙片２に折り線１２を介して連成された閉鎖紙片５には、その内面（図１の正面）に、所定の接着剤を塗布してなる接着層部２６が設けられている。尚、この接着層部２６の接着剤は、本実施例１にあって、上記した隠蔽紙片３の接着層部１３，１４と同じ接着剤により設けられており、一旦接着すると引き剥がせない所定の接着力を有するものである。
【００４３】
本実施例１にあって、上述した隠蔽葉書１には、図２のように、隠蔽紙片３の内面と本体紙片２の内面とをそれぞれ略全体的に覆うように、離型シート３１が再剥離可能に接着されている。この離型シート３１は、矩形状の再剥離紙片３２と複写用紙片３３とが折り線３４を介して連成されてなり、該再剥離紙片３２の一面の全域に所定の離型剤が塗布された離型面（図示省略）を設けている。そして、離型シート３１は、その折り線３４が隠蔽葉書１の開封用折込線１１に重なるようにして、再剥離紙片３２の離型面を、隠蔽紙片３の内面に接着する。ここで、再剥離紙片３２の離型面が隠蔽紙片３の再剥離層部１５と接着層部１３，１４とに接着し、この再剥離紙片３２を隠蔽紙片３から再剥離可能としていると共に、該再剥離層部１５と接着層部１３，１４との各接着剤の劣化を防ぐようにしている。
【００４４】
この離型シート３１の複写用紙片３３は、再剥離紙片３２が隠蔽紙片３に接着した状態で、本体紙片２の内面上に重ね合わされる。そして、複写用紙片３３の、本体紙片２の秘匿情報記入領域２８に重なる面に複写用のカーボン層部（図示省略）が設けられており、該カーボン層を設けた面の背面に、控え用の情報記入領域３８が設けられている。すなわち、複写用紙片３３を本体紙片２に重ね合わせた状態で、該複写用紙片３３の情報記入領域３８に秘匿情報をペンなどで記入することにより、当該秘匿情報を本体紙片２の秘匿情報記入領域２８に複写する。そして、この複写用紙片３３を取り外すことにより、記入者の控えとして保管できるようにしている。
【００４５】
また、上記した閉鎖紙片５には、その内面に、離型紙片４０が再剥離可能に接着されている。この離型紙片４０は閉鎖紙片５から比較的容易に引き剥がすことができると共に、再度接着可能となっている。そして、離型紙片４０は、閉鎖紙片５の接着層部２６を保護し、その劣化を防ぐ役割を有している。
【００４６】
次に、上述した隠蔽葉書１を使用する方法について説明する。
図２（Ａ）のように、離型シート３１の再剥離紙片３２を隠蔽紙片３の内面に接着した状態で、該離型シート３１の複写用紙片３３を本体紙片２の内面上に重ね合わせて、該複写用紙片３３の情報記入領域３８に所定の秘匿情報を記入する。これにより、本体紙片２の秘匿情報記入領域２８に秘匿情報が複写される。その後、離型シート３１の再剥離紙片３２を、隠蔽紙片３から引き剥がす（図２（Ｂ）参照）。ここで、再剥離紙片３２は、その離型面（図示省略）を隠蔽紙片３の内面に接着していることから、該隠蔽紙片３の再剥離層部１５および接着層部１３，１４から比較的容易に引き剥がすことができる。
【００４７】
この離型シート３１は、隠蔽葉書１から取り外された後に、その再剥離紙片３２と複写用紙片３３とを折り線３４から切断する（図示省略）。そして、複写用紙片３３が、その情報記入領域３８に秘匿情報が記入されており、送り主の控えとして保管される。
【００４８】
一方、離型シート３１を取り外した隠蔽葉書１は、図３（Ａ）のように、開封用折込線１１で隠蔽紙片３を折り返して、該隠蔽紙片３の内面と本体紙片２の内面とが対面して重なるように、この両者を重ね合わせる。これにより、隠蔽紙片３の接着層部１３，１４が、本体紙片２の剥脱部２１，２２に夫々接着すると共に、隠蔽紙片３の再剥離層部１５が、本体紙片２の内面に接着する。ここで、接着層部１３，１４は、図４（Ｂ）のように、その端ダレ領域１３ｂ，１４ｂが剥脱部２１，２２の切り込み線２３，２４外にはみだして接着しており、内部接着領域１３ａ，１４ａが切り込み線２３，２４内に接着している。
【００４９】
上記のように隠蔽紙片３と本体紙片２とを重ね合わせて接着することにより、該本体紙片２の秘匿情報記入領域２８を隠蔽している。さらに、閉鎖紙片５の離型紙片４０を引き剥がした後に、図３（Ｂ）のように、該閉鎖紙片５を折り線１２で折り返して、隠蔽紙片３の外面に重ねて接着する。このような手順により、隠蔽葉書１を、本体紙片２の秘匿情報記入領域２８を隠蔽した形態（以下、隠蔽形態という）として、郵送できるようにしている。
【００５０】
このように隠蔽葉書１は、その本体紙片２の秘匿情報記入領域２８を、隠蔽紙片３により被覆して接着することから、該秘匿情報記入領域２８に記入された秘匿情報を保護する効果に優れている。さらに、隠蔽紙片３を閉鎖紙片５により接着することで、該隠蔽紙片３と本体紙片２とが接着した状態で保持する効果を高めていると共に、隠蔽紙片３と本体紙片２とを破がし難くしている。これにより、秘匿情報を保護する効果が一層向上する。また、隠蔽葉書１は、秘匿情報を記入して隠蔽形態にするまでの作業を簡易に実施できるため、比較的短時間で実施でき得る。
【００５１】
この隠蔽葉書１は、受取人に送達された後に開封される。この開封作業としては、隠蔽紙片３の剥がし口部１６から開封用折込線１１を切断し、さらに、隠蔽紙片３と本体紙片２とを、閉鎖紙片５により接着された側辺の左右に開くようにして引き剥がしていく。ここで、開封用折込線１１は、上述したように、略ヘ字形の切り込み線が断続的に連続するプルトップ状の構成であるから、比較的容易に切断することができる。そして、隠蔽紙片３と本体紙片２とを引き剥がす際には、該隠蔽紙片３の接着層部１３，１４が本体紙片２の剥脱部２１，２２と接着しているため、該剥脱部２１，２２がその紙間部で剥離を生じてむしり取られていく。詳述すれば、接着層部１３，１４は、上述したように、接着力の弱い端ダレ領域１３ｂ，１４ｂが剥脱部２１，２２の切り込み線２３，２４外にはみだして接着しており、所望の接着力を有する内部接着領域１３ａ，１４ａが切り込み線２３，２４内の剥脱部２１，２２にのみ接着している（図４（Ｂ）参照）。そして、隠蔽紙片３と本体紙片２とを引き剥がすと、接着層部１３，１４の、接着力の弱い端ダレ領域１３ｂ，１４ｂは、本体紙片２を損傷することなく比較的容易に剥離する。接着層部１３，１４の内部接着領域１３ａ，１４ａは、剥脱部２１，２２と充分に強い接着力により接着していることから、該剥脱部２１，２２と剥離できず、さらに、切り込み線２３，２４と近接していることから、剥脱部２１，２２で紙間剥離を生じて、該剥脱部２１，２２をむしり取る（図４（Ｃ）参照）。このように端ダレ領域１３ｂ，１４ｂが剥離し、且つ内部接着領域１３ａ，１４ａが接着した剥脱部２１，２２をむしり取ることができるため、本体紙片２の秘匿情報記入領域２８を損傷することがない。また、隠蔽紙片３が破れてしまうこともない。そのため、隠蔽紙片３と本体紙片２とを引き剥がした後に、秘匿情報記入領域２８の秘匿情報を正確かつ確実に読み取ることができる。
【００５２】
また、剥脱部２１，２２は、上記のように、夫々を区画する切り込み横断線２５が複数形成されており、切り込み横断線２５の近傍で紙間剥離を生じ易くしている。これにより、隠蔽紙片３を引き剥がしていく過程で、剥脱部２１，２２を一層むしり取り易い。特に、剥脱部２１，２２には、その両端部が二重線の構成となっていることから、引き剥がす際に剥脱部２１，２２の端部から良好に剥離できるようにしている。このように、剥脱部２１，２２を一層むしり取り易くしていることから、引き剥がす際に、本体紙片２の秘匿情報記入領域２８を損傷してしまうことを防ぐ効果がさらに高い。
【００５３】
上述したように隠蔽葉書１は、隠蔽形態（図３（Ｂ）参照）とした後に、隠蔽紙片３と本体紙片２とを引き剥がすことにより、図５のように、隠蔽紙片３と本体紙片２とを開き、該本体紙片２の秘匿情報記入領域２８を開示する。そして、受取人は、所定の秘匿情報を知得できる。このような手順により、隠蔽葉書１は、隠蔽形態から秘匿情報記入領域２８を開示した形態にすることができ、そして、この作業は簡易に実施できるため、比較的短時間で安定して実施することができる。
【００５４】
また、隠蔽紙片３と本体紙片２とを引き剥がした隠蔽葉書１は、上述したように、秘匿情報記入領域２８が損傷することなく安定して開示された状態であるため、所定の読込装置によって、正確かつ迅速に秘匿情報を読み込むことができる。すなわち、上述した従来構成のように、秘匿情報を記入した領域が損傷したり、隠蔽する用紙の断片が前記領域を部分的に被覆した状態となって、これら不具合を作業者が手作業で修正しなければならなくなることが、本実施例の隠蔽葉書１では生じない。そのため、大量に隠蔽葉書１を受け取る場合にあっても、所定の読込装置によって安定して秘匿情報を読み込んで記憶することができ得る。
【００５５】
また、この隠蔽葉書１にあって、その隠蔽紙片３と本体紙片２とを接着して隠蔽形態とした後に秘匿情報記入領域２８をみるためには、上述したように、開封用折込線１１を切断したり、隠蔽紙片３を引き剥がさなければならず、一旦切断や剥離されると元に戻すことができない。そのため、隠蔽葉書１が開封された場合、その開封したことを明確に知ることができ得る。すなわち、不等に開封されていれば、直ぐにそれを確認することができる。
【００５６】
上述したように、本実施例１の隠蔽葉書１は、隠蔽紙片３を本体紙片２に重ねて接着し、さらに閉鎖紙片５を隠蔽紙片３の外面に接着することにより、隠蔽形態とすることができる。そして、受取人に送達後には、開封用折込線１１を切断して隠蔽紙片３を引き剥がすことにより秘匿情報記入領域２８を開示して秘匿情報を知得することができる。このように、送達する準備作業と開封作業とを比較的容易に行うことができることから、優れた取扱性を有している。そして、隠蔽紙片３と本体紙片２とは接着してしまうことから、該本体紙片２の秘匿情報を保護する効果も高く、また、開封されれば元に戻すことができないため、開封したことを容易に知ることができる。総じて、この隠蔽葉書１は、優れた取扱性と高いセキュリティ性とを両立して有するものである。
【実施例２】
【００５７】
図６は、隠蔽葉書５１の、その隠蔽紙片５３を本体紙片５２に接着する前の状態を示す平面図である。隠蔽紙片５３と本体紙片５２とは、同じ寸法形状の矩形状を成し、開封用折込線１１を介して連成されている。
【００５８】
この隠蔽紙片５３にあっては、上述した実施例１と同様に、上下辺に沿って接着層部１３，１４が設けられている。さらに、開封用折込線１１と対向する側辺に沿って接着層部６１が設けられている。このように、隠蔽紙片５３は、開封用折込線１１を除く三辺（上下辺、側辺）に沿って接着層部１３，１４，６１が夫々形成されている。この接着層部１３，１４，６１にあっては、上述した実施例１と同様の、接着力の強い接着剤が塗工されてなるものである。
【００５９】
また、本体紙片５２には、隠蔽紙片５３を開封用折込線１１で折り返して重なり合う部位に、剥脱部２１，２２，６３が設けられている。各剥脱部２１，２２，６３は、ハーフカット状の切り込み線２３，２４，６４により囲繞されている。ここで、接着層部１３，１４，６１は、上述した実施例１と同様に、各断面が中央部で盛り上がった形状となっており、接着力の弱い端ダレ領域１３ｂ，１４ｂ，６１ｂと充分な接着力を有する内部接着領域１３ａ，１４ａ，６１ａとから構成されている。そして、各接着層部１３，１４，６１の端ダレ領域１３ｂ，１４ｂ，６１ｂが、剥脱部２１，２２，６３を形成する切り込み線２３，２４，６４外にはみだして接着され、内部接着領域１３ａ，１４ａ，６１ａが切り込み線２３，２４，６４内で接着される。
【００６０】
また、各剥脱部２１，２２，６３には、夫々の幅方向に横断する切り込み横断線２５，６５が複数形成されている。また、この本体紙片５２には、剥脱部２１，２２，６３に囲まれた領域に、秘匿情報記入領域２８が設けられている。
【００６１】
この実施例２の隠蔽葉書５１にあっても、上述した実施例１と同様に、離型シート３１（図２参照）が隠蔽紙片５３の内面に接着している。
【００６２】
本実施例２の隠蔽葉書５１にあっては、隠蔽紙片５３に接着層部６１を設けると共に、本体紙片５２に剥脱部６３を設け、実施例１の閉鎖紙片５を設けない構成とした以外は、該実施例１と同じ構成であり、同じ構成要素には同じ符号を記し、その説明を省略している。
【００６３】
上述した隠蔽葉書５１は、上述した実施例１と同様に、離型シート３１の複写用紙片３３の情報記入領域３８に所定の秘匿情報を記入することにより、本体紙片２の秘匿情報記入領域２８に秘匿情報が複写される。そして、離型シート３１を、隠蔽葉書５１から引き剥がす。その後、図７（Ａ）のように、隠蔽紙片５３を開封用折込線１１で折り返して本体紙片５２に重ね合わせて接着する。このようにして隠蔽葉書５１を隠蔽形態とする。この隠蔽形態では、本体紙片５２と隠蔽紙片５３とが、その一辺を開封用折込線１１とし、他の三辺を接着層部１３，１４，６１により接着していることから、該本体紙片５２の秘匿情報記入領域２８が隠蔽紙片５３により被覆されて保護されている。
【００６４】
隠蔽葉書５１が受取人に送達された後には、図７（Ｂ）のように、隠蔽紙片５３の剥がし口部から開封用折込線１１を切断して、該隠蔽紙片５３を本体紙片５２から引き剥がしていく。これにより、隠蔽紙片５３の接着層部１３，１４，６１が本体紙片５２の剥脱部２１，２２，６３に夫々接着していることから、各剥脱部２１，２２，６３が紙間剥離してむしり取られる。ここで、接着層部１３，１４，６１の端ダレ領域１３ｂ，１４ｂ，６１ｂは、剥脱部２１，２２，６３外にはみだして接着されているが、接着力が弱いために比較的容易に剥離できる。そして、充分な接着力を有する内部接着領域１３ａ，１４ａ，６１ａが剥脱部２１，２２，６３を紙間剥離してむしり取る。このように剥脱部２１，２２，６３がむしり取られることにより、本体紙片５２の秘匿情報記入領域２８が損傷してしまうことを防ぐ効果を奏する。
【００６５】
また、各剥脱部２１，２２，６３には、上述した実施例１と同様に、切り込み横断線２５，６５が複数形成されていることから、紙間剥離を生じ易く、前記した秘匿情報記入領域２８の損傷を防ぐ効果が一層高い。
【００６６】
本実施例２の隠蔽葉書５１は、隠蔽紙片５３を本体紙片５２から切り離してしまうことにより、該本体紙片５２の秘匿情報記入領域２８を開示し、秘匿情報を知得することができる。このように、実施例２の隠蔽葉書５１にあっても、上述した実施例１と同様に、秘匿情報を記入して隠蔽形態とするまでの準備作業と隠蔽紙片５３を引き剥がして秘匿情報記入領域２８を開示する作業とを比較的容易に行うことができ、さらに、該秘匿情報記入領域２８を損傷することや隠蔽紙片５３が破れてしまうことなどを生じない。そのため、所定の読込装置によって、正確かつ迅速に秘匿情報を読み込むことができる。また、隠蔽形態では秘匿情報記入領域２８の秘匿情報を保護する効果も高く、さらに、開封されれば元に戻すことができないため、開封確認を容易に得ることができる。総じて、この隠蔽葉書５１は、取扱性とセキュリティ性とに優れているという、上述した実施例１と同様の作用効果を奏するものである。
【００６７】
また、実施例１，２の構成にあって、接着層部の接着剤としては、本体紙片の剥脱部で紙間剥離を生じる力に比して強い接着力を有しているものであれば良い。ここで、接着層部の内部接着領域では、前記した充分な接着力を発揮するため、剥脱部を安定して紙間剥離することができる。そして、接着層部の接着力は、紙間剥離する力より強ければよく、紙の強さに応じて適宜設定することができる。尚、上述した従来の特許文献２の構成にあっては、接着層部を接着していない領域をも剥離しなければならないため、接着剤の接着力が、紙間部で剥離を生ずる力を大きく越える力であることが求められている。これに対して、本発明にかかる構成にあっては、接着層部の内部接着領域と接着する剥脱部を紙間剥離させればよいため、前記従来構成に比して、接着力の低い接着剤により接着層部を形成することが可能であり、材料コストを低減できると共に、取扱性も向上する。
【００６８】
本発明は、上述した実施例の構成に限定されるものでなく、本発明の範囲内で適宜変更することは勿論可能である。例えば、隠蔽葉書だけでなく、所定の秘匿情報を隠蔽して保護するための帳票などにも適用可能である。
【図面の簡単な説明】
【００６９】
【図１】実施例１にかかる隠蔽葉書１の、本体紙片２と隠蔽紙片３とを接着する前の状態を示す平面図である。
【図２】（Ａ）隠蔽葉書１に離型シート３１を貼り付けた状態と、（Ｂ）離型シート３１を剥がした状態とを示す説明図である。
【図３】（Ａ）隠蔽紙片３を折り返して本体紙片２に接着した状態と、（Ｂ）閉鎖紙片５を折り返して隠蔽紙片３の外面に接着した隠蔽状態とを示す説明図である。
【図４】（Ａ）隠蔽紙片３と本体紙片２とを対面した状態と、（Ｂ）隠蔽紙片３と本体紙片２とを接着した状態と、（Ｃ）隠蔽紙片３と本体紙片２とを引き剥がした状態とにおける、接着層部１３，１４と剥脱部２１，２２との関係を説明する部分拡大図である。
【図５】隠蔽紙片３と本体紙片２とを引き剥がして、秘匿情報記入領域２８を開示した状態を示す斜視図である。
【図６】実施例１にかかる隠蔽葉書１の、本体紙片２と隠蔽紙片３とを接着する前の状態を示す平面図である。
【図７】（Ａ）隠蔽紙片５３を折り返して本体紙片５２に接着した隠蔽状態と、（Ｂ）隠蔽紙片５３を本体紙片５２から引き剥がした状態とを示す説明図である。
【符号の説明】
【００７０】
１，５１  隠蔽葉書
２，５２  本体紙片
３，５３  隠蔽紙片
５  閉鎖紙片
１１  開封用折込線  
１２  折り線
１３，１４，６１  接着層部
１３ａ，１４ａ，６１ａ  内部接着領域
１３ｂ，１４ｂ，６１ｂ  端ダレ領域
１６  剥がし口部  
２１，２２，６３  剥脱部  
２３，２４，６４  切り込み線  
２５，６５  切り込み横断線
２８  秘匿情報記入領域
【図１】
0005113472.tif 000002
【図２】
0005113472.tif 000003
【図３】
0005113472.tif 000004
【図４】
0005113472.tif 000005
【図５】
0005113472.tif 000006
【図６】
0005113472.tif 000007
【図７】
0005113472.tif 000008